(57)【要約】      （修正有）【課題】日常生活において、足又は足の指を動かしても、拇指と食指の間に定位置にとどまり（位置ずれや、外れることが無い）、常に、拇指と食指の間に一定の隙間をつくり、拇指及び食指を真っ直ぐな正常な状態に保つことができ、外反母趾の予防に効果的な外反母趾予防具の提供。【解決手段】予防具の全体又は大部分が柔軟な樹脂体から構成され、足の拇指と食指の間に差し込まれる柱状又は筒状の指間隙保持部２と、該指間隙保持部の側面に連なって帯環状に形成された、拇指を挿し通す拇指定位部３と、さらに、該拇指定位部の反対側の前記側面に連なって帯環状に形成された、食指を挿し通す食指定位部４とを備えてなることを特徴とする、外反母趾予防具１。【選択図】図１
0003105647.tif 000002
【実用新案登録請求の範囲】
【請求項１】
予防具の全体又は大部分が柔軟な樹脂体から構成され、
足の拇指と食指の間に差し込まれる柱状又は筒状の指間隙保持部と、
該指間隙保持部の側面に連なって帯環状に形成された、拇指を挿し通す拇指定位部と、
さらに、
該拇指定位部の反対側の前記側面に連なって帯環状に形成された、食指を挿し通す食指定位部とを備えてなることを特徴とする、外反母趾予防具。
【請求項２】
矯正具の全体又は大部分が柔軟な樹脂体から構成され、
足の或る指とその隣の指との間に差し込まれる柱状又は筒状の指間隙保持部と、
該指間隙保持部の側面に連なって帯環状に形成された、前記或る指を挿し通す一の足指定位部と、さらに、
該一の足指定位部の反対側の前記側面に連なって帯環状に形成された、前記隣の指を挿し通す他の足指定位部とを備えてなることを特徴とする、足指並び矯正具。
【考案の詳細な説明】
【技術分野】
【０００１】
本考案は、外反母趾を予防するための外反母趾予防具に関する。併せて、本考案は、足の指の並びを矯正するための足指並び矯正具をも包含する。
【背景技術】
【０００２】
近年、生活習慣の変化に伴い、靴を履いている時間が増え、特に、ハイヒールやパンプスなどの先細の靴を頻繁に履用していると、拇指が中足趾節関節（つけねの関節）で外側（小指側）に曲がるところの所謂、外反母趾に患う人が増加しており、とりわけ外反母趾は女性において顕著である。
【０００３】
従来、外反母趾を矯正するために、例えば、拇指と食指の間に挟着する矯正クッションの上下に、円形の鍔をそれぞれ形成したところの外反母趾矯正具が考案されている。
【特許文献１】実用新案登録第３０６８８０７号
【０００４】
この従来の外反母趾矯正具は、拇指と食指の間（つけね）に差し込むことによって、拇指と食指の間を広げて、隙間をつくり、拇指及び食指を真っ直ぐに並ぶ状態にすることによって、外反母趾を矯正するものである。
【考案の開示】
【考案が解決しようとする課題】
【０００５】
しかしながら、この従来の外反母趾矯正具は、使用の際、拇指と食指の間のつけねに、挟まれているだけなので、足や足の指を動かしたりすると、外反母趾矯正具が、拇指及び食指の間のつけねの位置からずれたり、動きが激しいと、拇指及び食指の間から外れてしまうという問題があった。そのため、従来の外反母趾矯正具では、拇指と食指の間に常に隙間をつくり、拇指及び食指を真っ直ぐな状態に保ち続けることができず、効果的に外反母趾を矯正できないというおそれがあった。
【０００６】
本考案は、かかる従来の事情を考慮してなされたものであって、その課題とするところは、日常生活において、足又は足の指を動かしても、拇指と食指の間に定位置にとどまり（位置ずれや、外れることが無く）、常に、拇指と食指の間に一定の隙間をつくり、拇指及び食指を真っ直ぐに並ぶ状態に保つことができ、外反母趾の予防に効果的な外反母趾予防具の提供にある。
【課題を解決するための手段】
【０００７】
本考案は、前記課題を解決するために、案出されたものであって、
より詳しくは、予防具の全体又は大部分が柔軟な樹脂体から構成され、
足の拇指と食指の間に差し込まれる柱状又は筒状の指間隙保持部と、
該指間隙保持部の側面に連なって帯環状に形成された、拇指を挿し通す拇指定位部と、
さらに、
該拇指定位部の反対側の前記側面に連なって帯環状に形成された、食指を挿し通す食指定位部とを備えてなることを特徴とする、外反母趾予防具に関する。
【０００８】
本考案の外反母趾予防具は、指間隙保持部の左右両側面に、拇指定位部及び食指定位部を形成したものである。
前述の予防具の全体、すなわち、指間隙保持部、拇指定位部及び食指定位部の全部分は柔軟な樹脂体から構成されるのが好ましいが、その一部を、金属や布等で構成しても良い。
前述の予防具において、指間隙保持部を柔軟な樹脂体で構成することによって、指間隙保持部を拇指及び食指の間のつけねに挟み、足又は足の指を動かしたとしても、拇指及び食指に痛みが生じず、また、指定位部を帯環状の柔軟な樹脂体で構成することによって、挿し通された足の指を真っ直ぐな状態に保ったまま、ある程度動かすこともできる。
前述の柔軟な樹脂体としては、例えば、発泡ゴム、発泡ウレタン等が挙げられる。
前述の指間隙保持部は、拇指及び食指の間のつけねに差し込まれたとき、拇指と食指の間に隙間をつくる働きをなす。
前述の指間隙保持部は、好ましくは、拇指と食指のつけね全体に差し込まれる大きさを有し、拇指と食指の間のつけねに沿って適合するような柱状又は筒状の柔軟な樹脂体からなる。
また、前述の拇指及び食指定位部は、挿し通された拇指及び食指が一緒に真っ直ぐ並ぶようにそれらの姿勢を保持し、かつ、指間隙保持部を拇指及び食指の間の定位置（つけね）にとどめる働きをなす。
前述の拇指定位部は、拇指を挿し通した場合に、拇指と拇指定位部の間にあそびがなく、拇指と拇指定位部が密着するような大きさのものに設計され、また食指定位部は、食指を挿し通した場合に、食指と食指定位部の間にあそびがなく、食指と食指定位部が密着するような大きさのものに設計される。
更に、前述の拇指及び食指定位部は、挿し通された拇指及び食指が必要以上にきつく締めつけられることがないように、紐状の細い環ではなく、帯状の即ち、一定の幅を有する環の形状をしている。
【０００９】
本考案は、外反母趾の予防の他、拇指以外の足指に適用して、それら足指の並びを矯正するのにも利用できる。すなわち、本考案の更なる態様は、矯正具の全体又は大部分が柔軟な樹脂体から構成され、
足の或る指とその隣の指との間に差し込まれる柱状又は筒状の指間隙保持部と、
該指間隙保持部の側面に連なって帯環状に形成された、前記或る指を挿し通す一の足指定位部と、さらに、
該一の足指定位部の反対側の前記側面に連なって帯環状に形成された、前記隣の指を挿し通す他の足指定位部とを備えてなることを特徴とする、足指並び矯正具に関する。
【考案の効果】
【００１０】
この構成により、本考案の外反母趾予防具では、日常生活において、足又は足の指を動かしたとしても、拇指定位部及び食指定位部が拇指及び食指のつけねに差し込まれた指間隙保持部を拇指と食指の間の定位置にとどめ、位置ずれや、外れることが無い。そのため、本考案の外反母趾予防具を使用すれば、拇指と食指の間に常に隙間がつくられ、拇指及び食指を真っ直ぐに並ぶ状態に保ち続けることができるので、外反母趾を効果的に予防することができるという効果が得られる。
また、拇指及び食指定位部を、指並びを矯正したい指及びその隣の指（例えば、無名指と小指）に対応した大きさに変更することによって、作られた足指並び矯正具は、外反母趾予防具と同様に、効果的に足の指の並びを矯正することができる。
【考案を実施するための最良の形態】
【００１１】
以下、本考案を図面を参照にしてより具体的に説明する。
図１は、本考案の右足用の外反母趾予防具１を示す斜視図である。図２は、図１の外反母趾予防具１の使用例を示す平面図である。図３は、右足用の足指並び矯正具６の使用例を示す平面図である。
【００１２】
実施例１．外反母趾予防具
図１に図示する外反母趾予防具１（右足用）は、指間隙保持部２の左側面に拇指定位部３が形成され、そして、反対側の右側面に食指定位部４が形成されたものである。
指間隙保持部２は、拇指と食指の間のつけねの厚みに相当する高さを有する円柱状の形状をなす。
また、指間隙保持部２の下端には、歩行時、拇指と食指の間のつけねに差し込まれた指間隙保持部２を安定させるために、鍔５が形成されている。
拇指定位部３及び食指定位部４は、帯状の環の形状をしており、拇指定位部３は、拇指の大きさに対応した内径を有し、また食指定位部４は、食指の大きさに対応した内径を有している。
また、外反母趾予防具１の全体（指間隙保持部２、拇指定位部３、食指定位部４）は、シリコンゴムからなる。
【００１３】
図１の外反母趾予防具１は、図２に示すように、指間隙保持部２を右足の拇指と食指の間のつけねまで差し込み、拇指を拇指定位部３に、食指を食指定位部４に挿し通すことによって使用される。
このとき、指間隙保持部２は、柔軟な樹脂体からなるので、拇指と食指の間のつけねに沿って適応する。そして、拇指と食指の間のつけねに差し込まれたとき、拇指と食指の間に隙間をつくる。
また、拇指定位部３及び食指定位部４は、それぞれ、拇指及び食指を挿し通した場合に、拇指と拇指定位部３の間、及び食指と食指定位部４の間にあそびがなく、かつ拇指と拇指定位部３、食指と食指定位部４が密着するような大きさのものに設計されている。
従って、拇指及び食指を拇指定位部３及び食指定位部４に挿し通せば、足又は足の指を動かしても、拇指定位部３及び食指定位部４は、拇指及び食指の定位置
にとどまり、特許文献１の外反母趾矯正具のように位置ずれしたり、はずれたりすることは無い。そのため、拇指定位部３及び食指定位部４の間に差し込まれている指間隙保持部２も、拇指と食指の間の定位置（つけね）にとどまるので、常に、拇指と食指の間に隙間がつくられ、拇指及び食指は真っ直ぐに並ぶ状態に保たれる。
また、その際、拇指定位部３及び食指定位部４が帯状の環の形状をしているので、拇指及び食指が必要以上に締めつけられることはない。
【００１４】
従って、本考案の外反母趾予防具１を使用した場合、日常生活において、足又は足の指を動かしたとしても、指間隙保持部２は拇指と食指の間のつけねに常にとどまるので、拇指と食指の間に常に一定の隙間がつくられ、拇指及び食指が真っ直ぐに並ぶ状態に保たれ、よって、効果的に外反母趾を予防することができる。
【００１５】
実施例２．足指並び矯正具
足指並び矯正具（右足用）の構成については、実施例１の外反母趾予防具１とほぼ同様である。但し、各指定位部については、挿し通す足の指（矯正したい足の指とその隣の指）に対応した大きさに設計されている。例えば、図３に図示する足指並び矯正具６は、指間隙保持部７の左側面に、無名指を挿し通した場合に、無名指と無名指定位部８の間にあそびがなく、無名指と無名指定位部８が密着するような大きさの無名指定位部８を形成し、そして、反対側の右側面に、小指を挿し通した場合に、小指と小指定位部９の間にあそびがなく、小指と小指定位部９が密着するような大きさの小指定位部９を形成している。
【００１６】
足指並び矯正具６は、図３に示すように、指間隙保持部７を右足の無名指と小指の間のつけねに差し込み、各指定位部８、９に、各々の指を挿し通すことによって使用される。
使用の際、外反母趾予防具１と同様に、無名指定位部８及び小指定位部９が、無名指及び小指の定位置にとどまるので、指間隙保持部７も、無名指と小指の間の位置にとどまり、無名指と小指の間に一定の隙間をつくり、無名指及び小指を真っ直ぐに並ぶ状態に保つ。
従って、矯正したい指及びその隣の指（無名指と小指）の並びを効果的に矯正することができる。
【図面の簡単な説明】
【００１７】
【図１】図１は、本考案の右足用の外反母趾予防具を示す斜視図である。
【図２】図２は、図１の外反母趾予防具の使用例を示す平面図である
【図３】図３は、右足用の足指並び矯正具の使用例を示す平面図である。
【符号の説明】
【００１８】
１．外反母趾予防具  ２．指間隙保持部  ３．拇指定位部  ４．食指定位部
５．鍔  ６．足指並び矯正具  ７．指間隙保持部  ８．無名指定位部  ９．小指定位部
【図１】
0003105647.tif 000003
【図２】
0003105647.tif 000004
【図３】
0003105647.tif 000005